(57)【要約】 【課題】  ＲＦＩＤシステムとその制御方法を提供する。【解決手段】  起動された時、無線通信範囲内の第１タグの識別コードを受ける読取機、時間設定と第２タグの識別コードを保存するメモリ、および前記時間設定によって指示された規定時間に前記読取機を起動することで前記第２タグが前記無線通信範囲内に存在するかどうかを判定するプロセッサを含む。【選択図】      図３
0003131170.tif 000002
【実用新案登録請求の範囲】
【請求項１】
起動された時、無線通信範囲内の第１タグの識別コードを受ける読取機、
時間設定と第２タグの識別コードを保存するメモリ、および
前記時間設定によって指示された規定時間に前記読取機を起動することで前記第２タグが前記無線通信範囲内に存在するかどうかを判定するプロセッサを含むラジオ周波数認識のシステム。
【請求項２】
前記時間設定は、サイクルを指示し、前記プロセッサは、各サイクルで１度、前記読取機を周期的に起動し、前記第２タグが前記無線通信範囲内に存在するかどうかを判定する請求項１に記載のシステム。
【請求項３】
前記時間設定は、スケジュールの複数のセッションを指示し、各セッションは、複数のオブジェクトにそれぞれ取り付けられた複数のタグの識別コードに対応し、
それがセッションの起点に到達した時、前記プロセッサが読取機を起動し、前記オブジェクトに取り付けられた前記タグが前記無線通信範囲内に存在するかどうかを判定する時計を更に含む請求項１に記載のシステム。
【請求項４】
前記ラジオ周波数認識システムに電力を供給する電源装置を更に含み、前記電源装置、前記読取機、前記メモリと、前記プロセッサは、ケースに設置され、携帯機器を形成する請求項１に記載のシステム。
【請求項５】
操作された時、前記読取機を起動する入力装置を更に含む請求項４に記載のシステム。
【請求項６】
前記電源装置は、ソーラーパネル、または発電機を含む請求項４に記載のシステム。
【請求項７】
前記携帯機器は、ＰＤＡ、または携帯電話を含む請求項４に記載のシステム。
【請求項８】
前記第２タグが前記無線通信範囲内に存在しない時、前記プロセッサは、音声警報が出力されるように指示する請求項１に記載のシステム。
【請求項９】
前記第２タグが前記無線通信範囲内に存在しない時、前記プロセッサは、前記ディスプレイにメッセージを表示する請求項１に記載のシステム。
【請求項１０】
起動された時、無線通信範囲内の第１タグの識別コードを受ける読取機、
第２タグの識別コードを保存するメモリ、
前記ラジオ周波数認識システムの動きを検出する慣性運動センサ、および
前記慣性運動センサによって検出された動きに基づいて、前記読取機を起動し、前記第２タグが前記無線通信範囲内に存在するかどうかを判定するプロセッサを含むラジオ周波数認識システム。
【請求項１１】
前記慣性運動センサは、歩数計を含み、前記歩数計で数えられた数が既定値まで増加した時、前記読取機が起動されるようにする請求項１０に記載のシステム。
【請求項１２】
前記ラジオ周波数認識システムに電力を供給する電源装置を更に含み、前記電源装置、前記読取機、前記メモリと、前記プロセッサは、ケースに設置され、携帯機器を形成する請求項１０に記載のシステム。
【請求項１３】
前記電源装置は、ソーラーパネル、または発電機を含む請求項１２に記載のシステム。
【請求項１４】
前記第２タグが前記無線通信範囲内に存在しない時、前記プロセッサは、音声警報が出力されるように指示する請求項１０に記載のシステム。
【請求項１５】
前記第２タグが前記無線通信範囲内に存在しない時、前記プロセッサは、前記ディスプレイにメッセージを表示する請求項１０に記載のシステム。
【請求項１６】
ラジオ周波数認識システムに実施され、
前記ラジオ周波数認識システムに時間設定と第１タグの識別コードを保存するステップ、
前記時間設定によって指示された規定時間にラジオ周波数認識システムの読取機を起動するステップ、
前記読取機の無線通信範囲内の第２タグの識別コードを受けるステップ、
前記第１と第２タグの識別コードを比較し、前記第１タグが前記無線通信範囲内に存在するかどうかを判定するステップを含むラジオ周波数認識の方法。
【請求項１７】
前記時間設定は、サイクルを指示し、前記読取機は、各サイクルで１度、周期的に起動され、前記第１タグが前記無線通信範囲内に存在するかどうかを判定する請求項１６に記載の方法。
【請求項１８】
前記時間設定は、スケジュールの複数のセッションを指示し、各セッションは、複数のオブジェクトにそれぞれ取り付けられた複数のタグの識別コードに対応し、
前記ラジオ周波数認識システムのクロックがセッションの起点に到達した時、読取機を起動し、前記オブジェクトに取り付けられた前記タグが前記無線通信範囲内に存在するかどうかを判定するステップを更に含む請求項１６に記載の方法。
【請求項１９】
前記第１タグが前記無線通信範囲内に存在しない時、音声警報を出力する請求項１６に記載の方法。
【請求項２０】
前記第１タグが前記無線通信範囲内に存在しない時、前記ラジオ周波数認識システムのディスプレイにメッセージを表示する請求項１６に記載の方法。
【考案の詳細な説明】
【技術分野】
【０００１】
本考案は、コンピュータコミュニケーション技術に関し、特に、ラジオ周波数認識（ＲＦＩＤ）のシステムに関するものである。
【背景技術】
【０００２】
携帯機器の発展に伴って、小型、軽量となり、カードが各種のトランザクションに益々用いられ、よって、電子製品、カードなど、個人が携帯するアイテムも増えている。１つのアイテムがなくなっても、再びそれが必要になる時まで気がつかないことがある。また、異なるアイテムが異なる場合に必要であり、それに合わせて常にアイテムを確認するのは、手間が掛かる。
【０００３】
ＰＤＡ、または携帯電話によって提供されるメモ、または類似の機能は、アイテムの名称を保存するように用いられることができるが、アイテムの名称は、手動入力しなければならず、それがなくなっていないかどうかを確認しなければならなく、アイテムがなくなった場合、それに対応する警報が提供されない可能性がある。個人が携帯するアイテムの管理を支援するには、現在のＰＤＡまたは携帯電話は、限りがある。
【考案の開示】
【考案が解決しようとする課題】
【０００４】
ラジオ周波数認識（以下、ＲＦＩＤという）システムとその制御方法を提供する。
【課題を解決するための手段】
【０００５】
ＲＦＩＤシステムの模範的な実施例は、読取機、メモリと、プロセッサを含む。起動された時、読取機は、無線通信範囲内の第１タグの識別コードを受ける。メモリは、時間設定と第２タグの識別コードを保存する。プロセッサは、時間設定によって指示された規定時間に読取機を起動することで、第２タグが無線通信範囲内に存在するかどうかを判定する。
【０００６】
ＲＦＩＤシステムの模範的な実施例は、読取機、メモリ、慣性運動センサと、プロセッサを含む。起動された時、読取機は、無線通信範囲内の第１タグの識別コードを受ける。メモリは、第２タグの識別コードを保存する。慣性運動センサは、ＲＦＩＤシステムの動きを検出する。プロセッサは、慣性運動センサによって検出された動きに基づいて、読取機を起動し、無線通信範囲内に第２タグが存在するかどうかを判定する。
【０００７】
ＲＦＩＤ方法の模範的な実施例は、ＲＦＩＤシステムに実施される。時間設定と第１タグの識別コードは、ＲＦＩＤシステムの中に保存される。ＲＦＩＤシステムの読取機は、時間設定によって指示された規定時間に起動される。読取機の無線通信範囲内の第２タグの識別コードが受けられる。第１と第２タグの識別コードが比較され、第１タグが無線通信範囲内に存在するかどうかが判定される。
【考案の効果】
【０００８】
本考案のＲＦＩＤシステムは、携帯機器の中に統合され、異なるセッションの必要なオブジェクトがあるかどうかを検出することができる。また、検出のタイミングと周波数は、時間設定に基づいて調整されることができ、無線通信範囲も調整されることができる。
【考案を実施するための最良の形態】
【０００９】
本考案についての目的、特徴、長所が一層明確に理解されるよう、以下に実施形態を例示し、図面を参照にしながら、詳細に説明する。
【実施例】
【００１０】
ＲＦＩＤシステムとその方法が提供される。その利便性により、ＲＦＩＤシステムは、例えば、病院、工場、図書館の人員、またはオブジェクトの制御にアクセスするオブジェクト管理に広く用いられている。従来のＲＦＩＤシステムは、ケーブルによって複数のＲＦＩＤ読取機に接続されたホストコンピュータを含む。ＲＦＩＤ読取機は、ビルの異なる場所に設置されることができ、ＲＦＩＤタグの識別情報をそれぞれ読込むことができる。ホストコンピュータは、複雑な計算を行い、プロセスを管理する。
【００１１】
従来のＲＦＩＤシステムは、不動で固定され、ベースを安定させているため、個人の使用に不適合である。よって、個人の使用に適するシステムと方法が望まれる。
【００１２】
図１を参照されたい。ＲＦＩＤシステム１００は、ケース１０１、プロセッサ１、メモリ２、入力装置３、電源装置４、ディスプレイ５と、読取機６を含む。電源装置４は、ＲＦＩＤシステム１００の各電子部品に電力を供給し、電源装置４、読取機６、メモリ２と、プロセッサ１は、ケースに設置され、携帯機器を形成する。電源装置４は、充電式バッテリー、ソーラーパネル、または発電機によって実施される。プロセッサ１とメモリ２は、単一チップ内に統合されることができる。メモリ２は、フラッシュメモリ、または記憶装置（ｅ．ｇ．ハードディスク）とランダムアクセスメモリ（ＲＡＭ）の組合せなどの不揮発性メモリを含むことができる。これらの部品は、ケースの中に設置され、携帯機器を形成する。例えば、ＲＦＩＤシステム１００は、ＰＤＡ、または携帯電話の中に統合されることができる。
【００１３】
入力装置３は、ボタン、タッチパネル、または操作された時に読取機６を起動するその他の入力装置を含むことができる。起動された時、読取機６は、無線通信範囲内の全てのタグの識別コードを受け、識別コードをプロセッサ１に伝送する。メモリは、時間設定と複数のタグの識別コードを保存することができる。時間設定は、特定時間、期間、または時間のサイクルを指示すことができる。プロセッサ１は、発振器１２に接続されたタイマー１１を含むことができる。タイマー１１は、時計を含むことができる。時間設定に基づいて、プロセッサ１は、各サイクルで１度、読取機６を周期的に起動し、タグが無線通信範囲内に存在するかどうか、または読取機６を特定時間に起動し、タグが無線通信範囲内に存在するかどうかを判定する。
【００１４】
図２は、時間設定と複数のタグの識別コード間の関係を表す概略図である。メモリ２は、スケジュール２００と表２１１−２１３を保存する。スケジュール２００は、異なる活動に対応するセッション２０１−２０３を含む。各セッションは、オブジェクトの表に対応する。セッション２０１−２０３は、表２１１−２１３にそれぞれ対応する。各セッションの起点、終点と、継続時間は、入力装置３によって構成され、変更される。表２１１は、各オブジェクトＡ、Ｂ、Ｃと、Ｄの優先順位番号、名称と、タグの識別コードを含む。優先順位番号は、オブジェクト検出の順序を指示すことができる。各オブジェクトの名称とタグの識別コードは、オブジェクトに取り付けられたタグに記録され、読取機６によって読み取られて、ＲＦＩＤシステム１００に入力され、メモリ２に保存されることができる。
【００１５】
入力装置３とＲＦＩＤシステム１００によって提供されたユーザーインターフェースも内容を表の中に入力するように用いられることができる。ＲＦＩＤシステム１００によって読み込み可能なタグが財布、携帯電話、クレジットカード、衣服、荷物などに取り付けられることができる。タグは、読取機６からのトリガー信号に応じてタグの識別コードを伝送する。例えば、読取機６の無線通信範囲は、読取機６から１メートル離れた範囲と定義される。読取機６は、初期には消費電力を防ぐため、切られている。
【００１６】
図３と図５のＲＦＩＤ方法は、選択的に、または同時に行われる。ＲＦＩＤシステムは、グラフィカルユーザーインターフェース（ＧＵＩ）のオプションを提供して設定を行う。
【００１７】
図３を参照されたい。プロセッサ１は、タイマー１１、または時計（未図示）を用いてセッション（セッション２０１）の起点が到達したかどうかを判断する（ステップＳ２）。まだの場合、ステップＳ２が繰り返される。到達した場合、プロセッサ１は、読取機６を起動し（ステップＳ３）、セッションが対応した表を読み出し、表（例えば表２１１）にリストされたオブジェクトが読取機６の無線通信範囲に存在するかどうかを判定する（ステップＳ４）。対応する表にリストされたタグの識別コードと読取機６によって読み出されたタグの識別コードを比較することによって、オブジェクトに取り付けられたタグが無線通信範囲に存在するかどうかを判定する。
【００１８】
無線通信範囲に１つ以上のタグが存在する時、読取機６は、多元接続方式を用いて、タイムスロットで１つのタグの識別コードを読み込むことができる。読取機６がタグの識別コードを読み込み、プロセッサ１に識別コードを伝送した後、プロセッサ１は、受けたタグの識別コードがオブジェクトのタグの識別コードと同じであるかどうかを判定する。同じである場合、プロセッサ１は、オブジェクトが読取機６の無線通信範囲内に存在することを判定する。
【００１９】
仮に、オブジェクトが読取機６の無線通信範囲内に存在しない場合、プロセッサ１は、例えば、スピーカー（未表示）を通して音声信号を提供することによって対応した警報（ステップＳ６）を出力し、ディスプレイ５に文字列または画像メッセージを表示する、または振動器を用いてケース１０１を振動させる。ディスプレイ５に表示される画像は、無線通信範囲内に存在しないオブジェクトの名称、タグの識別コード、またはシンボルを示すことができる。
【００２０】
プロセッサ１は、その他のオブジェクトが対応する表にリストされているかどうかを判定する（ステップＳ８）。リストされている場合、ステップＳ４が繰り返される。リストされていない場合、プロセッサ１は、一定時間後にタイマー１１が切れるのを待って、セッションの終点が到達したかどうかを決める（ステップＳ１０）。到達した場合、ステップＳ２が繰り返される。到達していない場合、ステップＳ４が繰り返される。待機時間は、時間設定に含まれることができ、調整可能である。
【００２１】
図４を参照されたい。ＲＦＩＤシステム１００Ａは、ＲＦＩＤシステムの動きを検出する慣性運動センサ７を更に含む。ＲＦＩＤシステム１００Ａの動きを識別する時、慣性運動センサ７は、読取機６を起動し、プロセッサ１は、メモリ２に記録されたタグが読取機６の無線通信範囲内に存在するどうかを判定し始める。タグは、表２１１−２１３の形式でメモリ２に記録されることができる。ＲＦＩＤシステム１００Ａは、使用者に身に着けられることができる。
【００２２】
例えば、慣性運動センサは、歩数計を含む。使用者が動き、歩数計で数えられた数が既定値まで増加した時、センサは、読取機６を起動し、タグの識別コードの判断を行う。または、時間設定が固定歩数Ｐを指示する時、プロセッサ１は、歩数計で数えられた数が固定歩数Ｐによって、毎回増加された時、表（例えば、表２１１−２１３の中の１つ）にリストされたタグを判定することができる。
【００２３】
図５を参照されたい。歩数計の歩数は、０に初期化され（ステップＳ２０）、プロセッサ１は、基準歩数として変数Ｃ０＝Ｃに設定する（ステップＳ２１）。プロセッサ１は、歩数計を起動し、歩数を数え始める（ステップＳ２２）。歩数計によって数えられた歩数を読み出し（ステップＳ２４）、Ｃ−Ｃ０＝＝Ｐであるかどうか判定する。そうでない場合、ステップＳ２４が繰り返される。そうである場合、プロセッサ１は、変数Ｃ０＝Ｃに設定し（ステップＳ２７）、読取機６を起動して（ステップＳ２８）、メモリ２に記録された特定表（例えば、表２１１）にリストされたオブジェクトが読取機６の無線通信範囲内に存在するかどうかを判定する（ステップＳ３０）。複数のタグが読取機６の無線通信範囲内に存在する時、読取機６は、多元接続方式を用いて、タイムスロットで１つのタグの識別コードを読み込むことができる。読取機６がタグの識別コードを読み込み、プロセッサ１に識別コードを伝送した後、プロセッサ１は、受けたタグの識別コードがオブジェクトのタグの識別コードと同じであるかどうかを判定する。同じである場合、プロセッサ１は、オブジェクトが読取機６の無線通信範囲内に存在することを判定する。続いてステップＳ３４が実行される。オブジェクトが読取機６の無線通信範囲内に存在しない場合、プロセッサ１は、対応する警報（ステップＳ３２）を出力する。ステップＳ３４では、プロセッサ１は、その他のオブジェクトが対応する表（ステップＳ３４）にリストされているかどうかを判定する。リストされている場合、ステップＳ３０が繰り返される。リストされていない場合、ステップＳ２４が繰り返される。
【００２４】
歩数計、またはタイマーを取り入れた読取機を起動するプロセスは、セッションの中に同時に用いられ、タグの識別コードを判定することができる。ＲＦＩＤシステム１００と１００Ａは、１つの装置の中に統合されることができる。
【００２５】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００２６】
【図１】ＲＦＩＤシステムの模範的な実施例のブロック図である。
【図２】時間設定と複数のタグの識別コード間の関係を表す概略図である。
【図３】ＲＦＩＤシステムの操作を表す流れ図である。
【図４】ＲＦＩＤシステムのもう１つの模範的な実施例のブロック図である。
【図５】図４のＲＦＩＤシステムの操作を表す流れ図である。
【符号の説明】
【００２７】
１        プロセッサ
２        メモリ
３        入力装置
４        電源装置
５        ディスプレイ
６        読取機
７        慣性運動センサ
１１      タイマー
１２      発振器
１００、１１０Ａ  ＲＦＩＤシステム
１０１    ケース
２００    スケジュール
２０１、２０２、２０３    セッション
２１１、２１２、２１３    表
【図１】
0003131170.tif 000003
【図２】
0003131170.tif 000004
【図３】
0003131170.tif 000005
【図４】
0003131170.tif 000006
【図５】
0003131170.tif 000007
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
起動された時、無線通信範囲内の第１タグの識別コードを受ける読取機、
時間設定と第２タグの識別コードを保存するメモリ、および
前記時間設定によって指示された規定時間に前記読取機を起動することで前記第２タグが前記無線通信範囲内に存在するかどうかを判定するプロセッサを含むラジオ周波数認識のシステム。
【請求項２】
前記時間設定は、サイクルを指示し、前記プロセッサは、各サイクルで１度、前記読取機を周期的に起動し、前記第２タグが前記無線通信範囲内に存在するかどうかを判定する請求項１に記載のシステム。
【請求項３】
前記時間設定は、スケジュールの複数のセッションを指示し、各セッションは、複数のオブジェクトにそれぞれ取り付けられた複数のタグの識別コードに対応し、
それがセッションの起点に到達した時、前記プロセッサが読取機を起動し、前記オブジェクトに取り付けられた前記タグが前記無線通信範囲内に存在するかどうかを判定する時計を更に含む請求項１に記載のシステム。
【請求項４】
前記ラジオ周波数認識システムに電力を供給する電源装置を更に含み、前記電源装置、前記読取機、前記メモリと、前記プロセッサは、ケースに設置され、携帯機器を形成する請求項１に記載のシステム。
【請求項５】
操作された時、前記読取機を起動する入力装置を更に含む請求項４に記載のシステム。
【請求項６】
前記電源装置は、ソーラーパネル、または発電機を含む請求項４に記載のシステム。
【請求項７】
前記携帯機器は、ＰＤＡ、または携帯電話を含む請求項４に記載のシステム。
【請求項８】
前記第２タグが前記無線通信範囲内に存在しない時、前記プロセッサは、音声警報が出力されるように指示する請求項１に記載のシステム。
【請求項９】
前記第２タグが前記無線通信範囲内に存在しない時、前記プロセッサは、前記ディスプレイにメッセージを表示する請求項１に記載のシステム。
【請求項１０】
起動された時、無線通信範囲内の第１タグの識別コードを受ける読取機、
第２タグの識別コードを保存するメモリ、
前記ラジオ周波数認識システムの動きを検出する慣性運動センサ、および
前記慣性運動センサによって検出された動きに基づいて、前記読取機を起動し、前記第２タグが前記無線通信範囲内に存在するかどうかを判定するプロセッサを含むラジオ周波数認識システム。
【請求項１１】
前記慣性運動センサは、歩数計を含み、前記歩数計で数えられた数が既定値まで増加した時、前記読取機が起動されるようにする請求項１０に記載のシステム。
【請求項１２】
前記ラジオ周波数認識システムに電力を供給する電源装置を更に含み、前記電源装置、前記読取機、前記メモリと、前記プロセッサは、ケースに設置され、携帯機器を形成する請求項１０に記載のシステム。
【請求項１３】
前記電源装置は、ソーラーパネル、または発電機を含む請求項１２に記載のシステム。
【請求項１４】
前記第２タグが前記無線通信範囲内に存在しない時、前記プロセッサは、音声警報が出力されるように指示する請求項１０に記載のシステム。
【請求項１５】
前記第２タグが前記無線通信範囲内に存在しない時、前記プロセッサは、前記ディスプレイにメッセージを表示する請求項１０に記載のシステム。